(57)【要約】【課題】画像データを色変換する際の補間による悪影響を減少させる。【解決手段】リンクファイル生成プログラムは、モニタプロファイルとプリンタプロファイルとを結合して、ディスプレイの従属色（ＲＧＢデータ）をプリンタの従属色（ＣＭＹＫデータ）に関連付けるリンクファイルを生成するステップ（Ｓ０２）と、ディスプレイの従属色のうち所定の従属色に関連付けられたプリンタの従属色を所定の従属色に適合させるために、リンクファイルを補正するステップ（Ｓ０３）とをコンピュータに実行させる。ディスプレイの従属色を基準に、それに関連付けられたプリンタの従属色が補正されるため、画像データを色変換する際の補間による悪影響を減少させるたリンクファイルを生成することができる。【選択図】        図４
2004242193.tif 000002
【特許請求の範囲】
【請求項１】
第１のデバイスの従属色と独立色とを関連付ける第１のデバイスの特性記述データと第２のデバイスの特性記述データとを結合して、前記第１のデバイスの従属色を前記第２のデバイスの従属色に関連付けるリンクファイルを生成するステップと、
前記第１のデバイスの従属色のうち所定の従属色に関連付けられた前記第２のデバイスの従属色を前記所定の従属色に適合させるために、前記リンクファイルを補正するステップとをコンピュータに実行させる、リンクファイル生成プログラム。
【請求項２】
前記補正ステップは、第１のデバイスの従属色のうちから予め定められた色相の従属色を選択するステップを含む、請求項１に記載のリンクファイル生成プログラム。
【請求項３】
前記補正ステップは、第１のデバイスの従属色のうちから補正対象となる従属色の指定と、該指定された従属色に関連付けられた第２のデバイスの従属色の入力とを受付けるステップと、
前記指定された第１のデバイスの従属色に関連する前記第２のデバイスの従属色を、前記入力された従属色に変更するステップとを含む、請求項１に記載のリンクファイル生成プログラム。
【請求項４】
第１のデバイスの従属色と独立色とを関連付ける第１のデバイスの特性記述データと第２のデバイスの特性記述データとを結合して、前記第１のデバイスの従属色を前記第２のデバイスの従属色に関連付けるリンクファイルを生成するステップと、
前記第１のデバイスの従属色のうち所定の従属色に関連付けられた前記第２のデバイスの従属色を前記所定の従属色に適合させるために、前記リンクファイルを補正するステップと、
前記補正されたリンクファイルを用いて、前記第１のデバイスの従属色で定義された画像データを前記第２のデバイスの従属色で定義された画像データに変換するステップとをコンピュータに実行させる、色変換プログラム。
【請求項５】
第１のデバイスの従属色と独立色とを関連付ける第１のデバイスの特性記述データと第２のデバイスの特性記述データとを結合して、前記第１のデバイスの従属色を前記第２のデバイスの従属色に関連付けるリンクファイルを生成するリンクファイル生成手段と、
前記第１のデバイスの従属色のうち所定の従属色に関連付けられた前記第２のデバイスの従属色を前記所定の従属色に適合させるために、前記リンクファイルを補正する補正手段とを備えた、リンクファイル生成装置。
【発明の詳細な説明】
【０００１】
【発明の属する技術分野】
本発明は、リンクファイル生成プログラム、色変換プログラムおよびリンクファイル生成装置に関し、特に、カラー・マッチング・システムに用いられるリンクファイル生成プログラム、色変換プログラムおよびリンクファイル生成装置に関する。
【０００２】
【従来の技術】
従来、スキャナで原稿を読取って得られる画像データ、または、ディスプレイに表示された画像データを、プリンタで印刷することがなされている。スキャナやディスプレイで処理される画像データは、赤（Ｒ）、緑（Ｇ）、青（Ｂ）の３つの要素で色が表現される。この表色系をＲＧＢ表色系という。プリンタで処理される画像データは、シアン（Ｃ）、マゼンタ（Ｍ）、イエロ（Ｙ）、ブラック（Ｋ）の４つの要素で色が表現される。この表色系をＣＭＹＫ表色系という。このように、２つのデバイス間それぞれで処理する画像データの表色系が異なるために、画像データを一方の表色系から他方の表色系に変換する色変換処理が行われる。
【０００３】
この色変換処理を複数のデバイス間で実行可能とするシステムとして、カラー・マネジメント・システムが知られている。カラー・マネジメント・システムにおいては、いずれのデバイスにも独立した表色系として、たとえばＸＹＺ表色系またはＬ＊ａ＊ｂ＊表色系が定義される。そして、各デバイスには、そのデバイスに従属する表色系の画像データをデバイスに独立な表色系に変換するために、プロファイルが対応付けられる。プロファイルは、例えば、ＲＧＢ表色系で表現された色（従属色）とＸＹＺ表色系で表現された色（独立色）とを関連付けたデータであり、マトリックスまたはルックアップテーブルである。
【０００４】
さらに詳しく図面を用いて説明する。図１６は、従来のカラー・マネジメント・システムの概略を示す図である。図１６において、入力装置１４０１と出力装置１４０７とのカラーマッチングの方法を説明するために、画像データの流れを示す。ここでは、ＣＲＴ、スキャナなどの入力装置１４０１で再現される画像データは、ＲＧＢ表色系で表わされるＲＧＢデータであり、プリンタなどの出力装置１４０７で再現される画像データは、ＣＭＹＫ表色系で表わされるＣＭＹＫデータである。本図に示すように、ＲＧＢデータは、色変換処理部１４０３における種々の変換処理を経て、最終的にＣＭＹＫデータに変換される。
【０００５】
まず、入力装置１４０１におけるＲＧＢデータは、色変換処理部１４０３に入力され、デバイスに独立な表色系のデータに変換される。上述したようにデバイスに独立な表色系とは、Ｌ＊ａ＊ｂ＊表色系、ＸＹＺ表色系等である。ここではＸＹＺ表色系で表わされるデータ（ＸＹＺデータ）に変換されたとする。変換処理には、図１６に示すようにマトリックスを用いた変換あるいは、ＬＵＴ（ルックアップテーブル）を用いた変換がある。
【０００６】
次に、変換されたＸＹＺデータは、ガマット（Ｇａｍｕｔ）マッピング部１４０５において出力装置１４０７で再現可能な範囲のＸＹＺデータに変換される。すなわち、ここＧａｍｕｔマッピング部１４０５において、入力装置１４０１と出力装置１４０７間のカラーマッチングが行なわれる。
【０００７】
カラーマッチング後のデータもデバイスに独立なＸＹＺ表色系のデータ（ＸＹＺデータ）であるため、再びＣＭＹＫデータに変換される。変換処理には、ここでも、ＬＵＴ（ルックアップテーブル）を用いた変換処理あるいはマスキング法による変換処理などが用いられる。
【０００８】
このように、入力装置１４０１で再現される画像データは、一旦デバイスに独立な表色系のデータに変換されてから、出力装置１４０７で再現できるようにカラーマッチングが行なわれる。
【０００９】
しかしながら、このカラー・マネージメント・システムにおいて、色変換することにより色相の歪みが発生してしまうといった問題がある。この問題に対応するために、特開２００２−１５２５３６号公報（特許文献１）には、デバイスに従属する表色系の画像データをデバイスに独立した表色系のデータに変換する際に用いるプロファイルを、デバイスに独立した表色系で色相の歪みが補正されるようにしたプロファイルを生成する技術が記載されている。
【００１０】
【特許文献１】
特開２００２−１５２５３６号公報
【００１１】
【発明が解決しようとする課題】
上述したようにプロファイルは、デバイスの従属色と独立色とを関連付けるものである。このプロファイルでは、データ量を削減するためにすべての従属色が独立色と関連付けられていない。このため、デバイスに独立した表色系のデータに変換する際に、プロファイルで定義されていないデータは、定義されているデータを用いた補間処理により求められる。この補間処理には、例えば立方体補間処理などが用いられる。立方体補間処理を例に説明する。入力デバイスのプロファイルに、デバイスに従属するＲＧＢ表色系と独立なＬ＊ａ＊ｂ＊表色系とが関連付けられ、出力デバイスのプロファイルに、デバイスに独立するＬ＊ａ＊ｂ＊表色系と従属するＣＭＹＫ表色系とが関連付けられているとする。ここで、ＲＧＢ表色系の赤色（ＲＧＢ＝（２５５，０，０））をＣＭＹＫ表色系での赤色に相当するＣＭＹＫ＝（０，２５５，２５５，０）で再現したい場合を考える。
【００１２】
入力デバイスのプロファイルを用いたマトリックスもしくはＬＵＴによる変換処理により、ＲＧＢ＝（２５５，０，０）は、例えばＬ＊ａ＊ｂ＊＝（５２．２，８０．１，６７．２）に変換される。出力デバイスのプロファイルには、Ｌ＊ａ＊ｂ＊＝（５２．２，８０．１，６７．２）が定義されていないため、定義されている周辺の８点の値を用いて立方体補間が行われる。周辺の８点は、たとえば、Ｌ＊ａ＊ｂ＊＝（４８，８０，６４）、（６４，８０，６４）、（４８，９６，６４）、（６４，９６，６４）、（４８，８０，８０）、（６４，８０，８０）、（４８，９６，８０）、（６４、９６，８０）である。これらの８点は、赤色からは少し外れた色なので、これらを用いて立方体補間処理により求められたＣＭＹＫ表色系におけるＣＭＹＫデータは、ＣＭＹＫ＝（０，２５５，２５５，０）とはならない。なお、立方体補間は、従来より知られた技術なのでここではその詳細な説明は繰返さない。
【００１３】
このように補間処理では必然的に誤差が発生するため、この誤差が原因で色変換した後の画像データの色相がずれる場合がある。特に、画像データに同一色相で明度または彩度がなだらかに変化するグラデーションの領域が含まれているような場合には、そのグラデーションを再現することができないといった問題がある。
【００１４】
特許文献１においても、プロファイルを用いて変換するため、プロファイルで定義されているデータについては色相がずれるのを防止することができるが、定義されていないデータは補間されるので、補間による誤差が原因で色相がずれる場合がある。
【００１５】
この発明は上述した問題点を解決するためになされたもので、この発明の目的の１つは、画像データを色変換する際の補間による悪影響を減少させたリンクファイルを生成可能なリンクファイル生成プログラムおよびリンクファイル生成装置を提供することである。
【００１６】
この発明の他の目的は、色変換前後の色を精度よくかつ容易に調整することが可能なリンクファイル生成プログラムおよびリンクファイル生成装置を提供することである。
【００１７】
この発明のさらに他の目的は、画像データを色変換する際の補間による悪影響を減少させた色変換プログラムを提供することである。
【００１８】
【課題を解決するための手段】
上述の目的を達成するためにこの発明のある局面によれば、リンクファイル生成プログラムは、第１のデバイスの従属色と独立色とを関連付ける第１のデバイスの特性記述データと第２のデバイスの特性記述データとを結合して、第１のデバイスの従属色を第２のデバイスの従属色に関連付けるリンクファイルを生成するステップと、第１のデバイスの従属色のうち所定の従属色に関連付けられた第２のデバイスの従属色を所定の従属色に適合させるために、リンクファイルを補正するステップとをコンピュータに実行させる。
【００１９】
この発明に従えば、第１のデバイスの特性記述データと第２のデバイスの特性記述データとを結合してリンクファイルが生成され、第１のデバイスの従属色のうち所定の従属色に関連付けられた第２のデバイスの従属色を所定の従属色に適合させるためにリンクファイルが補正される。第１のデバイスの従属色を基準に、それに関連付けられた第２のデバイスの従属色が補正されるため、画像データを色変換する際の補間による悪影響を減少させたリンクファイルを生成可能なリンクファイル生成プログラムを提供することができる。また、第１のデバイスの特性記述データと第２のデバイスの特性記述データを修正することなく、リンクファイルを補正するので、色変換前後の色を精度よくかつ容易に調整することが可能なリンクファイル生成プログラムを提供することができる。
【００２０】
好ましくは、補正ステップは、第１のデバイスの従属色のうちから予め定められた色相の従属色を選択するステップを含む。
【００２１】
この発明に従えば、第１のデバイスの従属色のうちから予め定められた色相の従属色が選択され、選択された第１のデバイスの従属色に関連付けられた第２のデバイスの従属色を規定する要素が補正される。このため、第１のデバイスの従属色のうちから同一色相の従属色に関連付けられた第２のデバイスの従属色が補正されるので、第２のデバイスで処理する際にグラデーションの再現性を向上させることができる。
【００２２】
好ましくは、補正ステップは、第１のデバイスの従属色のうちから補正対象となる従属色の指定と、該指定された従属色に関連付けられた第２のデバイスの従属色の入力とを受付けるステップと、指定された第１のデバイスの従属色に関連する第２のデバイスの従属色を、入力された従属色に変更するステップとを含む。
【００２３】
この発明に従えば、第１のデバイスの従属色のうちから補正対象となる従属色の指定と、該指定された従属色に関連付けられた第２のデバイスの従属色の入力とが受付けられ、指定された第１のデバイスの従属色に関連する第２のデバイスの従属色が、入力された従属色に変更される。このため、第１のデバイスの特性記述データで定義される従属色のうちユーザの所望する従属色を、ユーザの所望する、第２のデバイスの従属色と関連付けることができる。
【００２４】
この発明の他の局面によれば、色変換プログラムは、第１のデバイスの従属色と独立色とを関連付ける第１のデバイスの特性記述データと第２のデバイスの特性記述データとを結合して、第１のデバイスの従属色を第２のデバイスの従属色に関連付けるリンクファイルを生成するステップと、第１のデバイスの従属色のうち所定の従属色に関連付けられた第２のデバイスの従属色を所定の従属色に適合させるために、リンクファイルを補正するステップと、補正されたリンクファイルを用いて、第１のデバイスの従属色で定義された画像データを第２のデバイスの従属色で定義された画像データに変換するステップとをコンピュータに実行させる。
【００２５】
この発明に従えば、第１のデバイスの特性記述データと第２のデバイスの特性記述データとを結合してリンクファイルが生成され、第１のデバイスの従属色のうち所定の従属色に関連付けられた第２のデバイスの従属色を所定の従属色に適合させるためにリンクファイルが補正され、補正されたリンクファイルを用いて、第１のデバイスの従属色で定義された画像データが第２のデバイスの従属色で定義された画像データに変換される。第１のデバイスの従属色を基準に、それに関連付けられた第２のデバイスの従属色を補正することよりリンクファイルが補正されるので、画像データを色変換する際の補間による悪影響を減少させた色変換プログラムを提供することができる。
【００２６】
この発明の他の局面によれば、リンクファイル生成装置は、第１のデバイスの従属色と独立色とを関連付ける第１のデバイスの特性記述データと第２のデバイスの特性記述データとを結合して、第１のデバイスの従属色を第２のデバイスの従属色に関連付けるリンクファイルを生成するリンクファイル生成手段と、第１のデバイスの従属色のうち所定の従属色に関連付けられた第２のデバイスの従属色を所定の従属色に適合させるために、リンクファイルを補正する補正手段とを備える。
【００２７】
この発明に従えば、第１のデバイスの特性記述データと第２のデバイスの特性記述データとを結合してリンクファイルが生成され、第１のデバイスの従属色のうち所定の従属色に関連付けられた第２のデバイスの従属色を所定の従属色に適合させるためにリンクファイルが補正される。第１のデバイスの従属色を基準に、それに関連付けられた第２のデバイスの従属色が補正されるため、画像データを色変換する際の補間による悪影響を減少させたリンクファイルを生成可能なリンクファイル生成装置を提供することができる。また、第１のデバイスの特性記述データと第２のデバイスの特性記述データを修正することなく、リンクファイルを補正するので、色変換前後の色を精度よくかつ容易に調整することが可能なリンクファイル生成装置を提供することができる。
【００２８】
【発明の実施の形態】
以下、図面を参照しつつ、本発明の実施の形態について説明する。以下の説明では、同一の部品には同一の符号を付してある。それらの名称および機能も同じである。したがってそれらについての詳細な説明は繰返さない。
【００２９】
［第１の実施の形態］
図１に、本発明の第１の実施の形態におけるリンクファイル生成システムの外観を示す。図１を参照して、このリンクファイル生成システム１０は、ＣＤ−ＲＯＭ（Ｃｏｍｐａｃｔ  Ｄｉｓｃ  Ｒｅａｄ−Ｏｎｌｙ  Ｍｅｍｏｒｙ）ドライブ１１０およびＦＤ（Ｆｌｅｘｉｂｌｅ  Ｄｉｓｋ）ドライブ１１２を備えたリンクファイル生成装置１００と、ディスプレイ１０２と、プリンタ１０４と、スキャナ１０５と、キーボード１０６と、マウス１０８とを含む。
【００３０】
図２に、このリンクファイル生成装置１００の構成をブロック図形式で示す。図２に示されるようにこのリンクファイル生成装置１００は、それぞれバス１２６に接続されたＣＰＵ（Ｃｅｎｔｒａｌ  Ｐｒｏｃｅｓｓｉｎｇ  Ｕｎｉｔ）１１６と、オペレーティングシステムのブートアッププログラムなどを記憶したＲＯＭ（Ｒｅａｄ  Ｏｎｌｙ  Ｍｅｍｏｒｙ）１１８と、実行されるプログラムをロードするための、およびプログラム実行中のデータを記憶するためのＲＡＭ（Ｒａｎｄｏｍ  Ａｃｃｅｓｓ  Ｍｅｍｏｒｙ）１２０と、作成されたプログラムなどを不揮発的に記憶するためのハードディスク１１４と、このリンクファイル生成装置１００をネットワーク１３２に接続するためのネットワークインタフェース１３０とを含んでいる。ＣＤ−ＲＯＭドライブ１１０にはＣＤ−ＲＯＭ１２２が装着される。ＦＤドライブ１１２にはＦＤ１２４が装着される。
【００３１】
このようにリンクファイル生成装置１００は、一般的なパーソナルコンピュータで構成される。パーソナルコンピュータ自体の動作は周知であるので、ここではその詳細な説明は繰返さない。
【００３２】
このリンクファイル生成装置１００のハードディスク１１４には、ディスプレイ１０２、スキャナ１０５、プリンタ１０４それぞれのプロファイル（デバイス特性データ）が記憶される。それぞれのプロファイルは、各装置からリンクファイル生成装置１００に入力されてもよいし、ＦＤ１２４またはＣＤ−ＲＯＭ１２２に記憶されたプロファイルがＦＤドライブ１１２またはＣＤ−ＲＯＭドライブ１１０から入力されてもよい。さらに、プロファイルは、ネットワーク１３２に接続されたプリンタまたはコンピュータなどのデバイスからネットワークインタフェース１３０を介して入力されてもよい。これらのプロファイルは、デバイスに対応してハードディスク１１４に記憶される。
【００３３】
また、リンクファイル生成プログラムがＣＰＵ１１６で実行されると、ハードディスク１１４に記憶されたプロファイルをリンクする処理が実行される。一般的にこうしたリンクファイル生成プログラムは、ＣＤ−ＲＯＭ１２２、ＦＤ１２４などの記憶媒体に格納されて流通し、ＣＤ−ＲＯＭドライブ１１０またはＦＤドライブ１１２などにより記憶媒体から読取られてハードディスク１１４に一旦格納される。さらにハードディスク１１４からＲＡＭ１２０に読出されてＣＰＵ１１６により実行される。
【００３４】
なお、記録媒体としては、ＣＤ−ＲＯＭ１２２、ＦＤ１２４、ハードディスク１１４に限られず、磁気テープ、カセットテープ、光ディスク（ＭＯ（ＭａｇｎｅｔｉｃＯｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ、ＥＥＰＲＯＭ、フラッシュＲＯＭなどの半導体メモリ等の固定的にプログラムを担持する媒体でもよい。
【００３５】
ここでいうプログラムとは、ＣＰＵ１１６により直接実行可能なプログラムだけでなく、ソースプログラム形式のプログラム、圧縮処理されたプログラム、暗号化されたプログラム等を含む概念である。
【００３６】
以下、本実施の形態におけるリンクファイル生成装置１００で、ディスプレイ１０２のプロファイルとプリンタ１０４のプロファイルをリンクして、新たにリンクファイルを生成する場合を例に説明する。また、以下の説明では、ディスプレイ１０２のプロファイルをモニタプロファイルといい、プリンタ１０４のプロファイルをプリンタプロファイルという。
【００３７】
リンクファイル生成装置１００では、例えば描画作成プログラムがリンクファイル生成装置１００で実行されて作成された画像データが、プリンタ１０４で印刷される場合にリンクファイルが生成される。リンクファイル生成装置１００のユーザは、描画作成プログラムを実行させて、ディスプレイ１０２に表示された描画を見ながら操作を行う。したがって、描画作成プログラムにより作成される画像データは、ディスプレイ１０２の従属色で定義されるデータである。このデータをプリンタ１０４でプリントするために、色変換が必要となる。
【００３８】
図３は、本実施の形態におけるリンクファイル生成装置１００の機能を示す機能ブロック図である。モニタプロファイル２１１、プリンタプロファイル２１３は、デバイスに従属する表色系の色（従属色）とデバイスに独立な表色系の色（独立色）とを関連付けるものであり、デバイスの特性を記述したデバイス特性記述データである。すなわち、モニタプロファイル２１１は、ディスプレイ１０２に従属するＲＧＢ表色系の色（従属色）とディスプレイ１０２に独立なＸＹＺ表色系の色（独立色）とを関連付けたマトリックスである。プリンタプロファイル２１３は、プリンタ１０４に従属するＣＭＹＫ表色系の色（従属色）とプリンタ１０４に独立なＸＹＺ表色系の色（独立色）とを関連付けたルックアップテーブルである。
【００３９】
ＣＰＵ１１６でリンクファイル生成プログラムが実行されることにより、ＣＰＵ１１６には、リンクファイル生成部２０１、補正処理部２０３、色変換処理部２０５が構成される。本実施の形態においては、ＣＰＵ１１６でリンクファイル生成プログラムが実行されるようにしたが、リンクファイル生成部２０１、補正処理部２０３、色変換処理部２０５をハードウェア回路で実現してもよい。
【００４０】
リンクファイル生成部２０１は、モニタプロファイル２１１とプリンタプロファイル２１３とをリンクしてリンクファイルを生成する。リンクファイル生成部２０１は、ハードディスク１１４に記憶されたモニタプロファイル２１１とプリンタプロファイル２１３とを読出す。そして、モニタプロファイル２１１で定義されているディスプレイ１０２の従属色を独立色に変換する。モニタプロファイル２１１を用いた変換処理を次式（１）で定義する。
【００４１】
（Ｘ，Ｙ，Ｚ）＝Ｆｍｏｎ（Ｒ，Ｇ，Ｂ）  …  （１）
式（１）を用いて変換されたＸＹＺデータを、プリンタ１０４で再現可能な範囲のＸＹＺデータに変換する、いわゆるＧａｍｕｔマッピングが実行される。Ｇａｍｕｔマッピングは、従来より知られた技術でありので、ここでは詳細な説明は繰返さない。
【００４２】
そして、変換により得られた独立色を、プリンタプロファイル２１３を用いてプリンタ１０４の従属色に変換する。プリンタプロファイル２１３を用いた変換処理を次式（２）で定義する。
【００４３】
（Ｃ，Ｍ，Ｙ，Ｋ）＝Ｆｐｒｉ（Ｌ＊，ａ＊，ｂ＊）  …  （２）
この際、変換により得られた独立色がプリンタプロファイル２１３に定義されていないときには、立方体補間処理が実行されてプリンタ１０４の従属色が得られることになる。
【００４４】
このリンクは、モニタプロファイル２１１で定義されているディスプレイ１０２の従属色のすべてについて実行され、リンクファイルが生成される。生成されたリンクファイルは、モニタプロファイル２１１で定義されているディスプレイ１０２の従属色とプリンタ１０４の従属色とを関連付けたルックアップテーブルである。本実施の形態においては、リンクファイル（ルックアップテーブル）のサイズを１７×１７×１７としている。なお、リンクファイルのサイズはこれに限られず、任意のサイズとすることができる。
【００４５】
補正処理部２０３は、リンクファイル生成部２０１で生成されたリンクファイルを補正し、補正されたリンクファイル２１４を出力する。リンクファイルは、上述したように、立方体補間処理が実行されるので誤差を含む。したがって、このリンクファイルを用いて画像データをプリンタ１０４でプリントした場合には、色相がずれた画像データがプリントされる。補正処理部２０３では、色相のずれを減少するようにリンクファイルを補正する。
【００４６】
リンクファイルは、モニタプロファイル２１１で定義されているディスプレイ１０２の従属色とプリンタ１０４の従属色とを関連付けたルックアップテーブルである。また、生成されたリンクファイルで定義される１７×１７×１７個の入力側のデータ（ここでは、ディスプレイ１０２の従属色）を、格子点という。補正処理部２０３は、同一色相の格子点データに関連付けられたプリンタ１０４の従属色が、格子点データの色となるように補正する。補正処理については後で詳細に説明する。
【００４７】
色変換処理部２０５は、補正されたリンクファイル２１４を用いて、ディスプレイ１０２で処理されたＲＧＢデータ２２１を、プリンタ１０４で処理するためのＣＭＹＫデータに色変換する。補正されたリンクファイル２１４を用いて色変換することにより、プリンタでプリントされる画像の色ずれを減少することができる。
【００４８】
図４は、本実施の形態におけるリンクファイル生成装置１００で実行される色変換処理の流れを示すフローチャートである。図４を参照して、リンクファイル生成装置１００は、処理対象となる画像としてのＲＧＢデータ２２１の入力が受付けられる（ステップＳ０１）。そして、リンクファイル生成部２０１において、モニタプロファイル２１１とプリンタプロファイル２１３とをリンクしてリンクファイルが生成される（ステップＳ０２）。
【００４９】
補正処理部２０３において、ステップＳ０２で生成されたリンクファイルが補正される（ステップＳ０３）。これにより、グラデーションの色再現性を向上させた色変換が可能なリンクファイルに補正される。さらに、色変換処理部２０５において、補正されたリンクファイル２１４を用いて、ステップＳ０１で入力されたＲＧＢデータ２２１がＣＭＹＫデータ２２３に変換される（ステップＳ０４）。変換されたＣＭＹＫデータ２２３がプリンタ１０４に出力される（ステップＳ０５）。
【００５０】
次に、リンクファイルの補正処理について説明する。図５は、補正処理の対象となる格子点を示す図である。図５（Ａ）は、赤（Ｒ）、緑（Ｇ）、青（Ｂ）、シアン（Ｃ）、マゼンタ（Ｍ）、イエロ（Ｙ）および黒（Ｋ）それぞれから白（Ｗ）に向かう色相線を示す。図５（Ｂ）は、赤（Ｒ）、緑（Ｇ）、青（Ｂ）、シアン（Ｃ）、マゼンタ（Ｍ）、Ｙ（イエロ）および白（Ｗ）それぞれから黒（Ｋ）に向かう色相線を示す。これらの色相線上にある格子点が補正処理の対象となる。
【００５１】
以下、赤（Ｒ）から白（Ｗ）に向かう色相線上にある格子点を処理対象とする補処理正と、青（Ｂ）から黒（Ｋ）の色相線上にある格子点を処理対象とする補処理正とを例に説明する。緑（Ｇ）、青（Ｂ）、シアン（Ｃ）、マゼンタ（Ｍ）、イエロ（Ｙ）および黒（Ｋ）それぞれから白（Ｗ）に向かう色相線上にある格子点を処理対象とする補処理正は、赤（Ｒ）から白（Ｗ）に向かう色相線上にある格子点を処理対象とする補処理正と同様である。また、赤（Ｒ）、緑（Ｇ）、シアン（Ｃ）、マゼンタ（Ｍ）、イエロ（Ｙ）および白（Ｗ）それぞれから黒（Ｋ）に向かう色相線上にある格子点を処理対象とする補処理正は、青（Ｂ）から黒（Ｋ）に向かう色相線上にある格子点を処理対象とする補処理正と同様である。
【００５２】
（１）  赤（Ｒ）から白（Ｗ）に向かう色相線上にある格子点を処理対象とする補正処理
図６は、リンクファイルで関連付けられた赤（Ｒ）から白（Ｗ）に向かう色相線上にある格子点のＲＧＢデータとプリンタ１０４の従属色（ＣＭＹＫデータ）とを示す図である。ここで、図５（Ａ）を参照して、赤（Ｒ）の要素を含む色は、マゼンタ（Ｍ）とイエロ（Ｙ）である。したがって、赤（Ｒ）から白（Ｗ）に向かう色相線上にある格子点に関連付けられたプリンタの従属色は、マゼンタ（Ｍ）とイエロ（Ｙ）のみで表されるのが望ましい。赤（Ｒ）から白（Ｗ）に向かう色相線上にある格子点に関連付けられた、プリンタ１０４の従属色を規定するＣＭＹＫの要素のうち、赤（Ｒ）に関連する要素はマゼンタ（Ｍ）とイエロ（Ｙ）であり、シアン（Ｃ）と黒（Ｋ）は赤（Ｒ）に関連しない要素である。図６を参照すると、赤（Ｒ）に関連しない要素である、シアン（Ｃ）と黒（Ｋ）が含まれている。補正処理は、この赤（Ｒ）に関連しない要素（Ｃ，Ｋ）を、赤（Ｒ）に関連する要素（Ｍ，Ｙ）に配分する。
【００５３】
図７は、本実施の形態におけるリンクファイル生成装置１００で実行される補正処理の流れを示すフローチャートである。図７を参照して、まず、リンクファイルが取得される（ステップＳ１１）。このリンクファイルは、リンクファイル生成部２０１で生成されたリンクファイルである。必要に応じて、変換前の表色系と、変換後の表色系に関するデータも取得される。
【００５４】
そして、リンクファイルに含まれるデータのうちから、赤（Ｒ）から白（Ｗ）に向かう色相線上にある格子点のデータか否かが判断される（ステップＳ１２）。真の場合にはステップＳ１３に進み、偽の場合にはステップＳ１８に進む。ステップＳ１８では、他の色相線上にある格子点のデータを補正する処理が実行される。
【００５５】
ステップＳ１３では、格子点に関連付けられたＣＭＹＫデータに、赤（Ｒ）に関連しない要素であるシアン（Ｃ）または黒（Ｋ）の要素が含まれるか否かが判断される。シアン（Ｃ）および黒（Ｋ）の要素のいずれもが「０」の場合には含まれないと判断されて、ステップＳ１６に進み、そうでない場合にはステップＳ１４に進む。
【００５６】
ステップＳ１４では、シアン（Ｃ）および黒（Ｋ）の要素を、「０」に補正する。
【００５７】
次のステップＳ１５では、赤（Ｒ）に関連しない要素（Ｃ，Ｋ）を、赤（Ｒ）に関連する要素（Ｍ，Ｙ）に配分する。この配分の例を次式（３）に示す。次式ではプリンタ１０４の従属色を規定する要素（Ｃ，Ｍ，Ｙ，Ｋ）を補正した値を、Ｃ’，Ｍ’，Ｙ’，Ｋ’で示している。
【００５８】
Ｃ’＝０，Ｋ’＝０
Ｙ’＝Ｙ＋Ｃ／２＋Ｋ／２
Ｍ’＝Ｍ＋Ｃ／２＋Ｋ／２  …  （３）
式（３）で、要素Ｃと要素Ｋとを要素Ｙと要素Ｍに配分するのは、要素Ｃと要素Ｋを「０」にするだけでは、濃度が薄くなってしまうからである。なお、補正後のＹ’またはＭ’が上限の２５５を超える場合には、上限値２５５とすればよい。
【００５９】
なお、ここでは、要素Ｃと要素Ｋを、要素Ｙと要素Ｍに等分して配分するようにしたが、重み付けして配分するようにしてもよい。
【００６０】
Ｙ’＝Ｙ＋ｗ１×Ｃ＋ｗ２×Ｋ
Ｍ’＝Ｍ＋（１−ｗ１）×Ｃ＋（１−ｗ２）×Ｋ  …  （４）
ただし、ｗ１，ｗ２＜１。
【００６１】
次のステップＳ１６では、リンクファイルに含まれるすべての格子点について処理が終了したか否かが判断され、真の場合にはステップＳ１７に進み、偽の場合にはステップＳ１１に戻る。すべての格子点について処理が終了した場合には、次のステップＳ１７において、格子点と補正後のＣＭＹＫデータ（Ｃ’，Ｍ’，Ｙ’，Ｋ’）とを関連付けた補正されたリンクファイルを出力する（ステップＳ１７）。
【００６２】
図８は、リンクファイルで関連付けられた赤（Ｒ）から白（Ｗ）に向かう色相線上にある格子点のＲＧＢデータと補正後のプリンタ１０４の従属色（Ｃ’Ｍ’Ｙ’Ｋ’データ）とを示す図である。図に示すように、補正後の従属色を規定する要素Ｃ’，Ｋ’が、すべてゼロに補正されている。このようなリンクファイルを用いて色変換したＣＭＹＫデータをプリンタ１０４でプリントした場合には、赤色のグラデーションを滑らかに再現することができる。
【００６３】
なお、上述した補処理正では、要素Ｃと要素Ｋのすべてを配分するようにしたが、所定の割合だけ配分するようにしてもよい。
【００６４】
Ｃ’＝ｒ１×Ｃ
Ｋ’＝ｒ２×Ｋ
Ｙ’＝Ｙ＋ｗ１×（１−ｒ１）×Ｃ＋ｗ２×（１−ｒ２）×Ｋ
Ｍ’＝Ｍ＋（１−ｗ１）（１−ｒ１）×Ｃ＋（１−ｗ２）（１−ｒ２）×Ｋ  …  （５）
ただし、ｒ１，ｒ２＜１。
【００６５】
（２）  青（Ｂ）から黒（Ｋ）に向かう色相線上にある格子点を処理対象とする補正処理
図９は、リンクファイルで関連付けられた青（Ｂ）から黒（Ｋ）に向かう色相線上にある格子点のＲＧＢデータとプリンタ１０４の従属色（ＣＭＹＫデータ）とを示す図である。
【００６６】
補正処理では、青（Ｂ）から黒（Ｋ）に向かう色相線上にある格子点のＲＧＢデータに関連付けられたプリンタ１０４の従属色を、連続する従属色間で要素の変化量の差が小さくなるように補正する。この補正処理は、要素ごとに行われる。ここでは、マゼンタ（Ｍ）の要素を補正する場合を例に説明する。他の要素Ｃ，Ｙ，Ｋについての補正も、マゼンタ（Ｍ）の要素の補正処理と同様である。
【００６７】
ここで、要素Ｍを格子点の番号ｉ（１≦ｉ≦１７）に対応させてＭ（ｉ）で表すと、補正後の要素Ｍ’（ｉ）は、次式（６）で表される。
【００６８】
Ｍ’（１）＝Ｍ（１）
Ｍ’（１７）＝Ｍ（１７）
Ｍ’（ｊ）＝（Ｍ（ｊ−１）＋Ｍ（ｊ）＋Ｍ（ｊ＋１））／３  …  （６）
但し、１＜ｊ＜１７である。
【００６９】
図１０は、補正前のＭデータと補正後のＭ’データとを折れ線グラフで示した図である。図１０を参照して、補正後のＭ’データが補正前のＭデータに比較して、滑らかな曲線となっているのが判る。この要素ごとの補正処理を、他の要素Ｃ，Ｙ，Ｋにも同様に施した結果を図１１に示す。
【００７０】
このように、所定の色相線上にある格子点を処理対象とする補処理正を行うと、処理対処とする格子点は、所定の色相線上に存在するため、上述した補間による影響を最小限に抑えることができる。特に、入力側のデバイスで処理される画像データ、本実施の形態におけるＲＧＢデータが描画データ等でグラデーションを含む場合に、出力側のデバイスで処理される際のグラデーションの再現性を向上させることができる。
【００７１】
なお、白（Ｗ）から黒（Ｋ）に向かう色相線上にある格子点を処理対象とする補処理正は、実質的にはグレーバランスの調整に相当する。
【００７２】
以上説明したように本実施の形態におけるリンクファイル生成装置１００では、ディスプレイ１０２の従属色を基準に、それにリンクファイルにおいて関連付けられたプリンタ１０４の従属色が補正されるため、画像データを色変換する際の補間による悪影響を減少させたリンクファイルを生成可能である。
【００７３】
また、モニタプロファイル２１１とプリンタプロファイル２１３を修正することなく、リンクファイルを補正するので、色変換前後の色を精度よくかつ容易に調整することができる。
【００７４】
さらに、ディスプレイ１０２の従属色のうちから同一色相の従属色に関連付けられたプリンタ１０４の従属色が補正されるので、プリンタ１０４でプリントする際にグラデーションの再現性を向上させることができる。
【００７５】
なお、本実施の形態においては、連続する従属色間で要素の変化量の差が小さくなるように補正するために、処理対象の要素を、連続する前後の要素との平均としたが、連続する４つ以上の要素の平均値としても良い。
【００７６】
また、最小二乗法を用いて各要素に近似する多次元曲線を求めるようにしてもよい。さらに、要素ごとにするのではなく、２つ以上の要素について最小二乗法を用いて２つ以上の要素に近似する多次元局面を求めるようにしてもよい。
【００７７】
なお、赤（Ｒ）、緑（Ｇ）、青（Ｂ）、シアン（Ｃ）、マゼンタ（Ｍ）、イエロ（Ｙ）および黒（Ｋ）それぞれから白（Ｗ）に向かう色相線上にある格子点を処理対象とする場合に、上述した青（Ｂ）から黒（Ｋ）に向かう色相線上にある格子点を処理対象とする補正処理を適用するようにしてもよい。
【００７８】
［第２の実施の形態］
第２の実施の形態におけるリンクファイル生成装置１００Ａは、２つのデバイスのリンクファイルを生成する処理と、画像データを色変換する処理を別々に実行する。
【００７９】
図１２は、第２の実施の形態におけるリンクファイル生成装置１００Ａの機能を示す機能ブロック図である。図１２（Ａ）は、リンクファイル生成装置１００Ａが、２つのデバイスのリンクファイルを生成する処理を実行する場合の機能を示す。リンクファイル生成装置１００Ａは、入力側のデバイスと出力側のデバイスが指定されると、リンクファイル生成部２０１が指定された入力側および出力側のデバイスのプロファイルをリンクしてリンクファイルを生成する。そして、補正処理部２０３により生成されたリンクファイルが補正されて、補正されたリンクファイルがハードディスク１１４に記憶される。
【００８０】
図１２（Ｂ）は、リンクファイル生成装置１００Ａが、画像データを色変換する処理を実行する場合の機能を示す。リンクファイル生成装置１００Ａは、ＲＧＢデータの入力が受付けられると、色変換処理部２０５が入力デバイスおよび出力デバイスに対応する補正されたリンクファイルをハードディスク１１４から読出し、読出した補正されたリンクファイルを用いて、ＲＧＢデータ２２１をＣＭＹＫデータ２２３に色変換する。
【００８１】
このように、第２の実施の形態におけるリンクファイル生成装置１００Ａでは、リンクファイルを予め生成しておくので、画像データを色変換する処理を実行する際の処理量が減少し、スループットを向上させることができる。
【００８２】
［第３の実施の形態］
第３の実施の形態におけるリンクファイル生成装置１００Ｂは、２つのプロファイルをリンクして生成されるリンクファイルで定義されるデータのうち、ユーザの指定した格子点に対応する従属色をユーザの指定した値に変更するものである。
【００８３】
第３の実施の形態におけるリンクファイル生成装置１００Ｂの外観および構成は、第１の実施の形態におけるリンクファイル生成装置１００と同様であるので、ここでは説明を繰返さない。
【００８４】
図１３は、第３の実施の形態におけるリンクファイル生成装置１００Ｂの機能を示す機能ブロック図である。ＣＰＵ１１６でリンクファイル生成プログラムが実行されることにより、ＣＰＵ１１６には、リンクファイル生成部２０１、特定色補正処理部２０３Ｂ、色変換処理部２０５が構成される。なお、第３の実施の形態においては、ＣＰＵ１１６でリンクファイル生成プログラムが実行されるようにしたが、リンクファイル生成部２０１、特定色補正処理部２０３Ｂ、色変換処理部２０５をハードウェア回路で実現してもよい。
【００８５】
特定色補正処理部２０３Ｂは、リンクファイル生成部２０１で生成されたリンクファイルのデータのうちユーザに指定された格子点に関連付けられた従属色（ＣＭＹＫデータ）を、ユーザの指定した値に補正し、補正されたリンクファイル２１４Ｂを出力する。ユーザによる格子点の指定および従属色の指定は、キーボード１０６またはマウス１０８から入力される。
【００８６】
色変換処理部２０５は、補正されたリンクファイル２１４Ｂを用いて、ディスプレイ１０２で処理されたＲＧＢデータ２２１を、プリンタ１０４で処理するためのＣＭＹＫデータに色変換する。補正されたリンクファイル２１４を用いて色変換することにより、プリンタでプリントされる画像の色ずれを減少することができる。
【００８７】
図１４は、第３の実施の形態におけるリンクファイル生成装置１００Ｂで実行される特定色補正処理の流れを示すフローチャートである。図１４を参照して、まず、まず、リンクファイルが取得される（ステップＳ２１）。このリンクファイルは、リンクファイル生成部２０１で生成されたリンクファイルである。必要に応じて、変換前の表色系と、変換後の表色系に関するデータも取得される。
【００８８】
そして、キーボード１０６またはマウスからリンクファイルに含まれるデータのうちから、格子点の指定が受付けられる（ステップＳ２２）。この指定はＧＵＩ（ｇｒａｐｈｉｃａｌ  ｕｓｅｒ  ｉｎｔｅｒｆａｃｅ）を用いると操作性が向上する。すなわち、ディスプレイ１０２上に格子点で表される色を表示し、ユーザが表示された色をマウス１０８等で指定することにより、格子点の指定が受付けられる。
【００８９】
次に、ステップＳ２２で指定された格子点に関連付けられた従属色を規定する要素（Ｃ，Ｍ，Ｙ，Ｋ）の指定が受付けられる（ステップＳ２３）。この指定もまた、キーボード１０６またはマウス１０８から入力される。要素Ｃ，Ｍ，Ｙ，Ｋの値が直接入力されてもよいし、ＧＵＩを用いて入力を容易にしてもよい。
【００９０】
さらに、ステップＳ２２で指定された格子点に関連する従属色が、ステップＳ２３で指定された従属色に修正される（ステップＳ２４）。これにより、リンクファイルが補正される。
【００９１】
そして、格子点の指定を終了する旨を示す信号が入力されたか否かが判断される（ステップＳ２５）。この信号は、ユーザがキーボード１０６またはマウス１０８から入力するものである。終了する旨を示す信号が入力された場合には、ステップＳ２６に進み、そうでない場合にはステップＳ２２に戻る。
【００９２】
ステップＳ２６では、補正されたリンクファイル２１４Ｂを色変換処理部２０５に出力する（ステップＳ１７）。なお、補正されたリンクファイル２１４Ｂを、ハードディスク１１４に記録するようにしてもよい。
【００９３】
図１５は、第３の実施の形態におけるリンクファイル生成装置１００Ｂで関連付けられた青色の格子点のＲＧＢデータ（ＲＧＢ＝（０，０，２５５））と補正前後のプリンタの従属色（ＣＭＹＫデータおよびＣ’Ｍ’Ｙ’Ｋ’データ）との一例を示す図である。図を参照して、青色の格子点のＲＧＢデータ（ＲＧＢ＝（０，０，２５５））は、リンクファイル生成処理でＣＭＹＫ＝（２４５，２４１，３，１）のＣＭＹＫデータと関連付けられる。そして、青色の格子点のＲＧＢデータ（ＲＧＢ＝（０，０，２５５））と、補正後のＣ’Ｍ’Ｙ’Ｋ’データ（Ｃ’Ｍ’Ｙ’Ｋ’＝２５５，１７８，０，０）とがユーザにより指定されて、ＲＧＢデータ（ＲＧＢ＝（０，０，２５５））とＣ’Ｍ’Ｙ’Ｋ’データ（Ｃ’Ｍ’Ｙ’Ｋ’＝２５５，１７８，０，０）とが関連付けられることを示している。
【００９４】
一般的にプリンタは、ＣＭＹＫの各色の着色剤を記録媒体に塗布することによりプリントするが、ＣＭＹＫ表色系で表された色を正確に再現してプリントできない場合がある。例えば、ＣＭＹＫ表色系では、青色はＣ＝Ｍ＝２５５（１００％）で表されるが、実際にこの色をプリントしてみると青色ではなく紫色に見える場合がある。このような場合、マゼンタ（Ｍ）の要素を小さな値に変更することにより、実際にプリントされる色が青色に近い色になる。
【００９５】
第３の実施の形態におけるリンクファイル生成装置１００Ｂは、２つのプロファイルをリンクして生成されるリンクファイルで定義されるデータのうち、ユーザの指定した格子点に対応する従属色をユーザの指定した値に変更するので、上述した青色などの所定の色をプリンタに忠実に再現させることを可能とした、リンクファイルを生成することができる。
【００９６】
（１）  上述したリンクファイル生成プログラムは、第１のデバイスの従属色と独立色とを関連付ける第１のデバイスの特性記述データと第２のデバイスの特性記述データとを結合して、前記第１のデバイスの従属色を前記第２のデバイスの従属色に関連付けるリンクファイルを生成するステップと、
前記第１のデバイスの従属色のうち所定の従属色に関連付けられた前記第２のデバイスの従属色を前記所定の従属色に適合させるために、前記リンクファイルを補正するステップとをコンピュータに実行させる。さらに、リンクファイル生成プログラムは、以下のステップを含むようにしてもよい。
【００９７】
前記補正ステップは、第１のデバイスの従属色のうちから予め定められた色相の従属色を選択するステップと、
前記選択された第１のデバイスの従属色に関連付けられた前記第２のデバイスの従属色について、前記予め定められた色相と関連のない要素を、該色相と関連のある要素に配分するステップとを含む。
【００９８】
（２）  前記配分するステップは、所定の割合で配分する。
（３）  前記補正ステップは、第１のデバイスの従属色のうちから予め定められた色相の複数の従属色を選択するステップと、
前記選択された第１のデバイスの複数の従属色それぞれに関連付けられた前記第２のデバイスの複数の従属色を、連続する従属色間で要素の変化量の差が小さくなるように補正するステップとを含む。
【００９９】
（４）  （３）において、前記前記第２のデバイスの従属色を規定する要素は複数あり、
前記要素を補正するステップは、前記複数の要素ごとに補正する。
【０１００】
（５）  （３）において、前記要素を補正するステップは、各従属色の要素を前後に連続する従属色の要素と平均した値に変更する。
【０１０１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の第１の実施の形態におけるリンクファイル生成システムの外観を示す図である。
【図２】本発明の第１の実施の形態におけるリンクファイル生成装置の構成を示すブロック図である。
【図３】第１の実施の形態におけるリンクファイル生成装置の機能を示す機能ブロック図である。
【図４】第１の実施の形態におけるリンクファイル生成装置で実行される色変換処理の流れを示すフローチャートである。
【図５】補正処理の対象となる格子点を示す図である。
【図６】リンクファイルで関連付けられた赤（Ｒ）から白（Ｗ）に向かう色相線上にある格子点のＲＧＢデータとプリンタの従属色（ＣＭＹＫデータ）とを示す図である。
【図７】第１の実施の形態におけるリンクファイル生成装置で実行される補正処理の流れを示すフローチャートである。
【図８】リンクファイルで関連付けられた赤（Ｒ）から白（Ｗ）に向かう色相線上にある格子点のＲＧＢデータと補正後のプリンタの従属色（Ｃ’Ｍ’Ｙ’Ｋ’データ）とを示す図である。
【図９】リンクファイルで関連付けられた青（Ｂ）から黒（Ｋ）に向かう色相線上にある格子点のＲＧＢデータとプリンタの従属色（ＣＭＹＫデータ）とを示す図である。
【図１０】補正前のＭデータと補正後のＭ’データとを折れ線グラフで示した図である。
【図１１】リンクファイルで関連付けられた青（Ｂ）から黒（Ｋ）に向かう色相線上にある格子点のＲＧＢデータと補正後のプリンタの従属色（Ｃ’Ｍ’Ｙ’Ｋ’データ）とを示す図である。
【図１２】第２の実施の形態におけるリンクファイル生成装置の機能を示す機能ブロック図である。
【図１３】第３の実施の形態におけるリンクファイル生成装置の機能を示す機能ブロック図である。
【図１４】第３の実施の形態におけるリンクファイル生成装置で実行される特定色補正処理の流れを示すフローチャートである。
【図１５】第３の実施の形態におけるリンクファイル生成装置で関連付けられた青色の格子点のＲＧＢデータ（ＲＧＢ＝（０，０，２５５））と補正前後のプリンタの従属色（ＣＭＹＫデータおよびＣ’Ｍ’Ｙ’Ｋ’データ）との一例を示す図である。
【図１６】従来のカラー・マネジメント・システムの概略を示す図である。
【符号の説明】
１０、１０Ａ，１０Ｂ  リンクファイル生成装置、１００  コンピュータ、１０２  ディスプレイ、１０４  プリンタ、１０５  スキャナ、１０６  キーボード、１０８  マウス、１１０  ＣＤ−ＲＯＭドライブ、１１２  ＦＤドライブ、１１４  ハードディスク、１２６  バス、１３０  ネットワークインタフェース、１３２  ネットワーク、２０１  リンクファイル生成部、２０３  補正処理部、２０３Ｂ  特定色補正処理部、２０５  色変換処理部、２１１  モニタプロファイル、２１３  プリンタプロファイル、２１４，２１４Ｂ  リンクファイル。
【図１】
2004242193.tif 000003
【図２】
2004242193.tif 000004
【図３】
2004242193.tif 000005
【図４】
2004242193.tif 000006
【図５】
2004242193.tif 000007
【図６】
2004242193.tif 000008
【図７】
2004242193.tif 000009
【図８】
2004242193.tif 000010
【図９】
2004242193.tif 000011
【図１０】
2004242193.tif 000012
【図１１】
2004242193.tif 000013
【図１２】
2004242193.tif 000014
【図１３】
2004242193.tif 000015
【図１４】
2004242193.tif 000016
【図１５】
2004242193.tif 000017
【図１６】
2004242193.tif 000018